(57)【特許請求の範囲】
【請求項１】
ブラシ本体１と、ブラシ本体１のブラシ台３に着脱可能に装着されるブラシユニット２と、ブラシ台３とブラシユニット２との間に設けられて、ブラシユニット２を取り外し不能にロック固定するロック構造と、ロック状態を解除する操作体４７とを備えている髪用ブラシであって、
ブラシ本体１が、それぞれ個別に形成されるブラシ台３とグリップ４とを連結軸５で連結して、拡開した状態と折り畳み状態とに状態を可変できるよう構成されており、
ブラシユニット２は、ベース４０と、ベース４０のブラシ台３側に形成される突起４３、５２と、ベース４０のブラシ台３とは反対側に形成される一群のブリッスル４１とから成り、
ブラシ台３にブラシユニット２が装着された状態において、ブラシ台３に形成される穴２２、５３に突起４３、５２が入り込んでおり、
ブラシ本体１が折り畳み状態のとき、ブリッスル４１とグリップ４との間に対向間隔が形成され、
この対向間隔よりも突起４３、５２の突出寸法の方が大きく設定されており、
ブラシ本体１が拡開した状態のときは、操作体４７によりロック状態を解除してブラシユニット２を取り外すことができ、
ブラシ本体１が折り畳み状態のときは、ブラシユニット２の移動がグリップ４と突起４３、５２と穴２２、５３によって規制され、ブラシユニット２の抜け外れが阻止されていることを特徴とする髪用ブラシ。
【発明の詳細な説明】
【技術分野】
【０００１】
本発明は、本体ケースに対してブラシユニットを着脱可能に装着してある髪用ブラシに関する。
【背景技術】
【０００２】
髪用ブラシにおいて、ブラシ本体に対してブラシユニットを着脱自在に装着することは公知である（例えば特許文献１参照）。特許文献１におけるブラシユニットは、円盤状の基盤の片面に一群のブリッスルを植設してあり、ブラシ本体の取付盤に対して、基盤を回動操作することにより着脱できる。ブラシ本体に対してブラシユニットをスライド操作して着脱する着脱構造は公知である（例えば特許文献２参照）。ブラシユニットを本体ケースに対して着脱可能とする髪用ブラシにおいては、落下衝撃を受けるような場合に、ブラシユニットが本体ケースから抜け外れることがある。このようなブラシユニットの抜け落ちを防ぐために、本体ケースやブラシユニットの側にロック爪を設けることは公知である（例えば特許文献３参照）。
【０００３】
【特許文献１】登録実用新案第３０４２７５０号公報（段落番号００８、図２）
【特許文献２】実開平５−３７１３３号（項番号００１０−００１１、図２）
【特許文献３】特開２００１−３５３０２０号公報（段落番号００２３−００２９、図６）
【発明の開示】
【発明が解決しようとする課題】
【０００４】
本発明の目的は、ブラシ本体をコンパクトに折り畳むことができ、使用者にとって使いやすい携行用の髪用ブラシを提供することにある。
【課題を解決するための手段】
【０００５】
本発明の髪用ブラシは、ブラシ本体１のブラシ台３に着脱可能に装着されるブラシユニット２と、ブラシ台３とブラシユニット２との間に設けられて、ブラシユニット２を取り外し不能にロック固定するロック構造と、ロック状態を解除する操作体４７とを備えている髪用ブラシであって、ブラシ本体１が、それぞれ個別に形成されるブラシ台３とグリップ４とを連結軸５で連結して、拡開した状態と折り畳み状態とに状態を可変できるよう構成されており、ブラシユニット２は、ベース４０と、ベース４０のブラシ台３側に形成される突起４３、５２と、ベース４０のブラシ台３とは反対側に形成される一群のブリッスル４１とから成り、ブラシ台３にブラシユニット２が装着された状態において、ブラシ台３に形成される穴２２、５３に突起４３、５２が入り込んでおり、ブラシ本体１が折り畳み状態のとき、ブリッスル４１とグリップ４との間に対向間隔が形成され、この対向間隔よりも突起４３、５２の突出寸法の方が大きく設定されており、ブラシ本体１が拡開した状態のときは、操作体４７によりロック状態を解除してブラシユニット２を取り外すことができ、ブラシ本体１が折り畳み状態のときは、ブラシユニット２の移動がグリップ４と突起４３、５２と穴２２、５３によって規制され、ブラシユニット２の抜け外れが阻止されている構成である。
【発明の効果】
【０００６】
本発明では、ブラシ本体１と、ブラシ本体１のブラシ台３に着脱可能に装着されるブラシユニット２と、ブラシ台３とブラシユニット２との間に設けられて、ブラシユニット２を取り外し不能にロック固定するロック構造と、ロック状態を解除する操作体４７とを備えている髪用ブラシであって、ブラシ本体１が、それぞれ個別に形成されるブラシ台３とグリップ４とを連結軸５で連結して、拡開した状態と折り畳み状態とに状態を可変できるよう構成されており、ブラシユニット２は、ベース４０と、ベース４０のブラシ台３側に形成される突起４３、５２と、ベース４０のブラシ台３とは反対側に形成される一群のブリッスル４１とから成り、ブラシ台３にブラシユニット２が装着された状態において、ブラシ台３に形成される穴２２、５３に突起４３、５２が入り込んでおり、ブラシ本体１が折り畳み状態のとき、ブリッスル４１とグリップ４との間に対向間隔が形成され、この対向間隔よりも突起４３、５２の突出寸法の方が大きく設定されており、ブラシ本体１が拡開した状態のときは、操作体４７によりロック状態を解除してブラシユニット２を取り外すことができ、ブラシ本体１が折り畳み状態のときは、ブラシユニット２の移動がグリップ４と突起４３、５２と穴２２、５３によって規制され、ブラシユニット２の抜け外れが阻止されていることにより、ブラシ本体をコンパクトに折り畳むことができるとともに、ブラシ台３とグリップ４とが折り畳んである不使用状態において、何らかの理由でブラシユニット２が分離する動きとなってもそれ以上にブラシユニット２が抜け外れるのを防止できる。
【発明を実施するための最良の形態】
【０００７】
（実施例１）  図１ないし図９は本発明に係る髪用ブラシの実施例を示す。図１および図３において、髪用ブラシは折り畳み可能に構成したブラシ本体１と、ブラシユニット２と、ブラシ本体１の内部に組み込まれるイオン発生装置とからなる。
【０００８】
ブラシ本体１は、側面視がそれぞれ半円状に形成されたブラシ台３とグリップ４とを連結軸５で連結してなり、ブラシ台３とグリップ４とは連結軸５を介して円形に折り畳んだ図３の状態と、アラビア数字の３の形に拡開した図２の状態とに揺動開閉できる。
【０００９】
ブラシユニット２は、ブラシ台３におけるグリップ４との対向面に装着され、両者３・４を拡開した状態においてブラシユニット２で髪を梳くことができる。
【００１０】
図２においてマイナスイオン発生装置は、電源となる２個の乾電池（電池）８、イオン発生回路が実装された回路基板９、電源スイッチ１０、トランス１１、針状の放電電極と、同電極に対し所定の距離を設けて配設された対向電極を含む放電体１２、送風ファン１３およびこれを駆動するモーター１４と、中継基板１５などを含む。これらの構成部品のうち、乾電池８、回路基板９、それに電源スイッチ１０はグリップ４内に組み込む。トランス１１、放電体１２、送風ファン１３およびモーター１４、それに中継基板１５はブラシ台３内に組み込んである。
【００１１】
上記のように構成したイオン発生装置によれば、トランス１１で昇圧した高電圧が、放電体１２に印加され、放電電極から対向電極へ向かって電子が放出されるので、両電極の周辺の空気中の酸素分子がマイナスイオン化され、空気流とともに吹出口４４から放出される。微少水分を含むマイナスイオンは、毛髪の内部深くまで浸透して水分を補給でき、従って髪の水分率を高めることができる。頭部周辺に浮遊するマイナスイオンは、リラックス効果を高める作用も期待でき、イオン健康装置として利用することもできる。各電装品に電力を供給する電源としては、乾電池８に限らず、充電池、スーパーキャパシタ、或いは商用電源であってもよい。
【００１２】
図４および図５において、ブラシ台３はブラシユニット２が装着される内ケース３Ａと、内ケース３Ａの開口側面を塞ぐケース蓋３Ｂと、内ケース３Ａおよびケース蓋３Ｂに外嵌装着される透明の外ケース３Ｃと、内外ケース３Ａ・３Ｃの間に挟み込まれる３枚の装飾シートとで構成してある。
【００１３】
内ケース３Ａは一側面が開口する花弁形のプラスチック成形品からなり、ケース内に放電体１２、トランス１１、モーター１４を差し込み装着するためのホルダーを有する。図５においてブラシユニット２が装着される内ケース３Ａの基壁２０には、マイナスイオンを送出するための中央のイオン放出口２１と、ブラシユニット２を係合装着するための４個の装着穴（第２係合体）２２とが開口している。基壁２０の外面の左右中央部には、図８に示すごとくブラシユニット２の左右方向の位置決めを図るための浅い装填凹部２３が長手方向に沿って凹み形成されており、その左右両側にフランジ２４が張り出し形成されている。基壁２０の基端には連結ボス２５が一体に設けてある。符号２６は内ケース３Ａの円弧周面に開口した吸風口である。
【００１４】
外ケース３Ｃは、内ケース３Ａより一回り大きなケース体からなり、内ケース３Ａの円弧周面と向きあう面が開口している。この開口面の左右幅は、内ケース３Ａのフランジ２４の左右幅に一致しており、図８に示すように、外ケース３Ｃを内ケース３Ａに被せ付けた状態では、外ケース３Ｃの開口端縁２８がフランジ２４で受け止められる。外ケース３Ｃには、先の吸風口２６と対向する円弧周面に吸込口２９が開口している。ケース蓋３Ｂおよび外ケース３Ｃは、それぞれ内ケース３Ａに溶着固定される。
【００１５】
図６においてグリップ４は、内ケース４Ａと、内ケース４Ａの開口側面を塞ぐケース蓋４Ｂと、内ケース４Ａおよびケース蓋４Ｂに外嵌装着される透明の外ケース４Ｃと、電池蓋３３と、内外ケース４Ａ・４Ｃの間に挟み込まれる３枚の装飾シートとで構成してある。
【００１６】
内ケース４Ａは、一側面が開口する花弁形のプラスチック成形品からなり、これのケース内に電池室や、回路基板９用のホルダーを形成してある。グリップ４におけるブラシ台３との対向面、すなわち内ケース４Ａの上壁には乾電池８を出し入れするための出入口３２が形成されており、この出入口３２はスライド開閉される電池蓋３３で塞がれる。内ケース４Ａの基端には連結ボス３４を一体に形成してある。外ケース４Ｃは、内ケース４Ａより一回り大きなケース体からなり、内ケース４Ａの円弧周面と向きあう面が開口している。ケース蓋４Ｂおよび外ケース４Ｃは、それぞれ内ケース４Ａに溶着固定される。
【００１７】
図４においてブラシユニット２は、短冊（板）状のベース４０の外面に一群のブリッスル４１を一体に成形したプラスチック成形品からなる。ベース４０の外面の左右中央には、長手方向に沿って位置決め壁４２が膨出形成されており、その長手方向両端近くと、左右方向中央部位の左右との４箇所に逆Ｌ字状の第１係合体４３が突起として一体に突設されている。ベース４０の中央には、マイナスイオンを送出するための吹出口４４を有する。
【００１８】
ブラシ台３に対するブラシユニット２の装着要領を説明すると、図１に示すごとくブラシユニット２側の第１係合体４３が、ブラシ台３側の前記装着穴２２に対し接近して嵌合する第１係合動作（図１の右向き）と、第１係合動作と直交する向きにブラシユニット２をスライド嵌合する第２係合動作（図１の下向き）とを経て、第１係合体４３を装着穴２２に抜け止め状に係合する。第２係合動作は、ブラシユニット２をブラシ台３の前端から後端に向けてスライドさせる動作であるが、この第２係合動作だけで抜け止め状に係合される構造とすることができる。
【００１９】
両者が係合した図３の状態においては、第１係合体４３の横向きの爪４３ａが装着穴２２の開口周縁壁で受け止められており、爪４３ａによる引き寄せ作用でベース４０が基壁２０側に密着する。また、図７および図８に示すように、ベース４０の位置決め壁４２が装填凹部２３に嵌合し、髪を梳く際にブラシユニット２がブラシ台３に対して左右方向にもぐらつくことはない。図１、図３に示すように、位置決め壁４２と装填凹部２３は、ともに湾曲形状となっており互いの接触面積が増大している。この接触抵抗増大により、ブラシユニット２の前後、左右方向のぐらつきをさらに確実に防止できる。
【００２０】
ブラシ台３に対するブラシユニット２の装着状態を維持して取り外し不能にロック固定するために、ブラシ台３とブラシユニット２との間にはロック構造を設ける。図５および図７において、そのロック構造は、前記ベース４０の前端面の接当部４５と、接当部４５を受け止めてブラシユニット２が分離する方向にスライドするのを阻止するロック体４６と、ロック体４６をロック解除操作するための操作体４７とを含み、ブラシ台３の基壁２０の前端部（図１において上端側）に配備されている。
【００２１】
そのためのロック体４６は、図５に示すごとくベース４０の接当部４５に対して係脱できるストッパー枠４８と、ストッパー枠４８から延びる左右一対の弾性腕４９とで門形に一体成形されている。操作体４７はストッパー枠４８と一体に成形する。図５に示すように、基壁２０の前端寄り部位に弾性腕４９の突端をかしめて固定することにより、ロック体４６はブラシ台３と一体化され、この状態で弾性腕４９が弾性変形することでストッパー枠４８は接当部４５に対して係脱自在に変位できる。操作体４７、およびストッパー枠４８の変位を許すために、基壁２０の前端には凹部５０が形成されている。図１、図３に示すように、ベース４０の前端面を接当部４５とすることにより、ベース４０に係合用突起や係合用凹部を専用に形成する必要がなくなり、ベース４０側の係合部の強度低下を防止することができる。またベース４０成形用の金型構造も簡素化できる。
【００２２】
上記のように、ロック体４６に操作体４７が外部に突出するよう一体成形されていると、ロック構造の構成部品点数を減らすことができるうえ、ロック体４６および操作体４７を別部品で形成した場合に比べて、構造強度を高めて壊れ難いものになる。図２に示すように操作体４７は、グリップ４から最も離れた基壁２０の前端に配置されているので、誤って操作体４７をロック解除操作することがなく、使用者の明確な意図がない限りは、使用途中のブラシユニット２がロック解除操作されてブラシ台３から抜け外れるのをよく防止できる。なお、ロック体４６の一部であるストッパー枠４８と操作体４７のみを一体成形し、弾性腕４９を省略した構造の場合は、基壁２０の前端壁とストッパー枠４８間にストッパー枠４７押し上げ用のコイルばねを配設する構造となる。
【００２３】
図２および図９に示すように、ブラシ台３の左右幅寸法Ｂは、ブラシ台３の前後寸法Ｗよりも充分に小さいので、ブラシ台３を片手で持って操作体４７をロック解除操作したり、他方の手でブラシユニット２を分離する方向にスライド操作したり、あるいは装着操作する場合には、ブラシ台３の円弧周面の全体を手のひらで受け止めて確りと掴み保持できる。従って操作体４７をより確実にロック解除操作し、ブラシユニット２の着脱操作が簡便に行えることになる。
【００２４】
電源スイッチ１０は、ブラシ台３とグリップ４との開閉動作に連動してオン状態とオフ状態とに切り換わる。すなわち、ブラシ台３とグリップ４とが折り畳んであるときはオフ状態になっており、両者３・４を拡開操作するとオン状態に切り換わる。なお、ブラシ台３とグリップ４とを折り畳み状態と拡開状態において位置決め保持するために、両者３・４の連結部には節動機構を組み込んであり、従って使用途中に電源スイッチ１０が不用意に切り換わることはない。
【００２５】
髪用ブラシを円形に折り畳んだ図３の状態においては、ブリッスル４１の下端が連結軸５の回動中心を通る水平面を越えて下面側へ突出する。そのため、ブリッスル４１の下方への突出量分だけグリップ４の上面、すなわち電池蓋３２は、連結軸５の回動中心を通る水平面から下方へ凹んだ位置に設けてある。
【００２６】
この折り畳み状態におけるブリッスル４１とグリップ４との対向間隔Ｅ１は、図３に示すように、第１係合動作における第１係合体４３と第２係合体２２との係合長さＥ２よりも小さく寸法設定してある。そのため、何らかの理由でブラシユニット２が分離方向にスライドして、爪４３ａと装着穴２２との係合が解除されたとしても、ブリッスル４１はグリップ４で受け止められるので、それ以上ブラシユニット２が抜け外れるのを阻止する。抜け外れを阻止するために四組すべての第１係合体４３と第２係合体２２との係合長さＥ２をブリッスル４１とグリップ４との対向間隔Ｅ１より大きい寸法にする必要はなく、一組のみの第１係合体４３と第２係合体２２との係合長さＥ２をブリッスル４１とグリップ４との対向間隔Ｅ１より大きい寸法としたものであってもよい。
【００２７】
上記構成の髪用ブラシによれば、ロック体４６のストッパー枠４８がベース４０の接当部４５を受け止めて、ブラシユニット２が分離する方向（図１での上向き方向）へスライド変位するのを阻止するので、ブラシが床面上に落下して大きな衝撃を受けても、ブラシユニット２がブラシ台３から抜け外れることはなく、ブラシユニット２の装着状態を確実に維持できる。
【００２８】
髪を梳く場合には、イオン発生装置によって生成されたマイナスイオンが、ブラシユニット２の吹出口４４から空気流とともに噴出されて髪に付着するので、空気中に浮遊する水分子を髪に吸着させてしっとりとした状態に維持できる。
【００２９】
ブラシユニット２を水洗い清掃するような場合には、図３の想像線で示すように操作体４７を矢印方向へ押し下げ操作すると、ストッパー枠４８と接当部４５との係合が解除されるので、この状態のままでブラシユニット２をスライド操作して分離することができる。
【００３０】
図１０は髪用ブラシの別実施例を示す。そこでは、ブラシ台３の基壁２０に装填ベース５１を膨出形成し、装填ベース５１の左右側面の前後に逆Ｌ字状の溝を第２係合体２２として形成した。また、ブラシユニット２側のベース４０は、装填ベース５１に外嵌するキャップ状に構成し、その左右側壁の内面前後に先の第２係合体２２と係合する第１係合体４３を円形突起状に形成した。さらに、ブラシユニット２をブラシ台３に装着する際の第１係合動作によって互いに係合する突起５２と係合穴５３とが設けられている。図示例の突起５２はブラシユニット２のベース４０に設け、係合穴５３は装填ベース５１に長穴として形成した。
【００３１】
このように、突起５２と係合穴５３を付加してあると、何らかの理由でブラシユニット２が分離スライドして、両係合体２２・４３の係合が解除されたとしても、突起５２と係合穴５３とによって装着姿勢を維持できるので、ブラシ本体１を折り畳んだ状態におけるブリッスル４１とグリップ４との対向間隔Ｅ１が大きい場合にも、ブラシユニット２の脱落をよく防止できる。突起５２の突出寸法は対向間隔Ｅ１より大きく設定した。他は先の実施例と同じであるので、同じ部材に同じ符号を付してその説明を省略する。以下の別実施例においても同じ扱いとする。
【００３２】
図１１はロック構造に関する別実施例を示す。図１１（ａ）では、ロック体４６と操作体４７とを別部品で構成し、ロック体４６をばね５４でロック姿勢に押圧付勢した。ロック体４６はブラシ台３でスライド自在に案内支持して、ベース４０の接当部４５に係合するロック姿勢と、接当部４５との係合が解除されるロック解除姿勢とに変位できる。操作体４７はロック体４６と直交する向きにスライド自在に案内支持されており、ばね５４の付勢力に抗して操作体４７を押し込み操作すると、ロック体４６をロック解除操作してブラシユニット２を着脱できる。ロック体４６と操作体４７とは斜めのカム面５５を介して接合している。
【００３３】
図１１（ｂ）では、操作体４７が回転ダイヤル５７と、これの回転動作をロック体４６に伝えるギヤ対５８・５９とで構成し、回転ダイヤル５７を回転操作することによって、ロック体４６をロック姿勢とロック解除姿勢とに変位できるようにした。この場合のロック体４６には、終段ギヤ５９と噛合うラック６０が形成してある。
【００３４】
上記の実施例以外に、第１係合体４３と第２係合体２２とは、互いに係合できる突起と、穴または凹部との関係を満足すればよく、どちらが突起であってもよい。第１係合動作は斜め方向の係合動作であってもよい。第２係合動作は第１係合動作と直交する必要はなく、交差する動作で足りる。本発明は、バイブレーターを内蔵したブラシ付き頭皮マッサージャーや、ヘアーブロッサー、ヘアードライヤーなどの小型電気機器にも適用できる。また、本発明は、人間用の整髪ブラシに限らず動物（犬、猫など）用のグルーミングブラシにも適用できる。
【図面の簡単な説明】
【００３５】
【図１】ブラシユニットを分離した状態でのブラシ台側の縦断側面図である。
【図２】ブラシ本体を開いた状態での側面図である。
【図３】ブラシ本体を折り畳んだ状態での縦断側面図である。
【図４】ブラシ台とこれに実装される電装部品の分解斜視図である。
【図５】ブラシユニットをブラシ台に装着した状態での斜視図である。
【図６】グリップの分解斜視図である。
【図７】図１におけるＢ−Ｂ線断面図である。
【図８】図２におけるＡ−Ａ線断面図である。
【図９】ブラシ本体を開いた状態での正面図である。
【図１０】ブラシユニットの装着構造の別実施例を示す正面図と側面図である。
【図１１】ロック構造の別実施例を示す原理説明図である。
【符号の説明】
【００３６】
１  ブラシ本体
２  ブラシユニット
３  ブラシ台
４  グリップ
５  連結軸
８  乾電池
９  回路基板
１０  電源スイッチ
１１  トランス
１２  放電体
１３  送風ファン
１４  モーター
２０  ブラシ台の基壁
２２  第２係合体
２３  装填凹部
４０  ブラシユニットのベース
４１  ブリッスル
４２  位置決め壁
４３  第１係合体
４５  接当部
４６  ロック体
４７  操作体
４８  ストッパー枠
４９  弾性腕
【図１】
0003629270.tif 000002
【図２】
0003629270.tif 000003
【図３】
0003629270.tif 000004
【図４】
0003629270.tif 000005
【図５】
0003629270.tif 000006
【図６】
0003629270.tif 000007
【図７】
0003629270.tif 000008
【図８】
0003629270.tif 000009
【図９】
0003629270.tif 000010
【図１０】
0003629270.tif 000011
【図１１】
0003629270.tif 000012